(57)【要約】      （修正有）【課題】プロジェクタの利用時の利便性を向上することのできるプロジェクタ設置装置を提供する。【解決手段】プロジェクタを設置する設置装置は、設置対象となる対象物の上に裁置される部材を有する第１の支持部と、第１の支持部から対象物の下方に延びて、プロジェクタを対象物の下方に支持する第２の支持部とを備える。また、前記設置装置の断面は略Ｓ字状である。さらに、前記プロジェクタを接続するための複数のコネクタを配置した接続部を備える。【選択図】図１
2010060600.tif 000002
【特許請求の範囲】
【請求項１】
プロジェクタを設置する設置装置であって、
設置対象となる対象物の上に裁置される部材を有する第１の支持部と、
前記第１の支持部から前記対象物の下方に延びて、前記プロジェクタを前記対象物の下方に支持する第２の支持部と、
を備える、設置装置。
【請求項２】
請求項１記載の設置装置であって、
前記設置装置の断面は略Ｓ字状である、設置装置。
【請求項３】
請求項１または２記載の設置装置であって、さらに、
前記プロジェクタを接続するための複数のコネクタを配置した接続部を備える、設置装置。
【請求項４】
請求項１ないし３のいずれか一項記載の設置装置であって、
前記第１の支持部と、前記第２の支持部とは、回動可能な第１の可動部で連結されている、設置装置。
【請求項５】
請求項１ないし４のいずれか一項記載の設置装置であって、
前記第２の支持部は、
前記プロジェクタの下部を支える底面部と、
前記第１の支持部から前記底面部にかけて延びる上側面部と、
を備え、
前記底面部と、前記上側面部とは、第２の可動部で連結されている、設置装置。
【請求項６】
請求項１ないし５のいずれか一項記載の設置装置であって、
前記第１の支持部は、前記第１の支持部が前記対象物に固定された固定状態と、前記第１の支持部が前記対象物に固定されていない解除状態とをワンタッチで切り替え可能な切替部を備える、設置装置。
【請求項７】
プロジェクタを設置する設置装置であって、
プロジェクタを支持する支持部と、
前記支持部に設けられたプロジェクタ支援装置と、
を備え、
前記プロジェクタ支援装置は、
前記プロジェクタに接続される１つ以上の周辺機器と、
前記プロジェクタおよび他の電子機器に接続するためのインタフェースと、
を備える、設置装置。
【請求項８】
請求項７記載の設置装置であって、
前記設置装置に設置される前記プロジェクタの使用用途に応じて、複数の種類から任意に選択した前記プロジェクタ支援装置を設置することが可能な、設置装置。
【発明の詳細な説明】
【技術分野】
【０００１】
本発明は、プロジェクタ設置装置に関する。
【背景技術】
【０００２】
プロジェクタは、画像を投写して拡大表示することができる投写型表示装置であり、ビジネスシーンなどにおいて一般に使用されている。従来このプロジェクタは、例えば、会議室の机上に設置する形で用いられていた。しかし、このようにしてプロジェクタを設置した場合、机上で行う作業の妨げになることがあった。このため、従来からこの点を改善したいという要望があった。例えば、特許文献１には、投写面に近い会議机の上面板の側端にプロジェクタ設置用器具を取り付け、このプロジェクタ設置用器具を介してフロント投写型のプロジェクタを着脱可能に取り付ける技術が開示されている。
【０００３】
【特許文献１】特開２００４−２５２０４９号公報
【特許文献２】平２−２８５８８２号公報
【０００４】
この技術では、会議机の上面板の側端にプロジェクタ設置用器具を取り付けるため、側端部に余分な場所を要する。また、プロジェクタの利用時の利便性に関しては十分な工夫がされていなかった。
【発明の開示】
【発明が解決しようとする課題】
【０００５】
本発明は、プロジェクタの利用時の利便性を向上することのできるプロジェクタ設置装置を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
プロジェクタを設置する設置装置であって、設置対象となる対象物の上に裁置される部材を有する第１の支持部と、前記第１の支持部から前記対象物の下方に延びて、前記プロジェクタを前記対象物の下方に支持する第２の支持部と、を備える、設置装置。
こうすれば、プロジェクタは設置対象となる対象物の下方に支持されるため、設置対象物の上面や側面のスペースを有効に活用することができる。この結果、プロジェクタ利用時の利便性を向上することができる。
【０００８】
［適用例２］
適用例１記載の設置装置であって、前記設置装置の断面は略Ｓ字状である、設置装置。
【０００９】
［適用例３］
適用例１または２記載の設置装置であって、さらに、前記プロジェクタを接続するための複数のコネクタを配置した接続部を備える、設置装置。
こうすれば、複数のコネクタが接続部に配置されるため、プロジェクタの接続をスムーズに行うことができる。この結果、プロジェクタ利用時の利便性を向上することができる。
【００１０】
［適用例４］
適用例１ないし３のいずれか一項記載の設置装置であって、前記第１の支持部と、前記第２の支持部とは、回動可能な第１の可動部で連結されている、設置装置。
こうすれば、第１の可動部を回動させることにより、プロジェクタ投写画面の表示位置を上下に調節することができる。この結果、プロジェクタ利用時の利便性を向上することができる。
【００１１】
［適用例５］
適用例１ないし４のいずれか一項記載の設置装置であって、前記第２の支持部は、前記プロジェクタの下部を支える底面部と、前記第１の支持部から前記底面部にかけて延びる上側面部と、を備え、前記底面部と、前記上側面部とは、第２の可動部で連結されている、設置装置。
こうすれば、第２の可動部によって、利用者が作業しやすい位置へプロジェクタの上面部や側面部を向けることができる。従って、利用者は、プロジェクタを設置装置に設置したまま作業をする（例えば、プロジェクタの部品を交換する）ことができる。この結果、プロジェクタ利用時の利便性を向上することができる。
【００１２】
［適用例６］
適用例１ないし５のいずれか一項記載の設置装置であって、前記第１の支持部は、前記第１の支持部が前記対象物に固定された固定状態と、前記第１の支持部が前記対象物に固定されていない解除状態とをワンタッチで切り替え可能な切替部を備える、設置装置。
こうすれば、簡便に設置装置の取り付けおよび固定が可能となる。この結果、プロジェクタ利用時の利便性を向上することができる。
【００１３】
［適用例７］
プロジェクタを設置する設置装置であって、プロジェクタを支持する支持部と、前記支持部に設けられたプロジェクタ支援装置と、を備え、前記プロジェクタ支援装置は、前記プロジェクタに接続される１つ以上の周辺機器と、前記プロジェクタおよび他の電子機器に接続するためのインタフェースと、を備える、設置装置。
こうすれば、プロジェクタと、プロジェクタ支援装置の周辺機器とを一体として利用することができる。この結果、プロジェクタ利用時の利便性を向上することができる。
【００１４】
［適用例８］
適用例７記載の設置装置であって、前記設置装置に設置される前記プロジェクタの使用用途に応じて、複数の種類から任意に選択した前記プロジェクタ支援装置を設置することが可能な、設置装置。
こうすれば、プロジェクタの使用用途に応じて、様々なプロジェクタ支援装置を使い分けることができる。この結果、プロジェクタ利用時の利便性を向上することができる。
【００１５】
なお、本発明は、種々の態様で実現することが可能である。例えば、プロジェクタ設置装置および方法、プロジェクタ設置装置を備えたプロジェクション表示システム、それらの方法または装置の機能を実現するためのコンピュータプログラム、そのコンピュータプログラムを記録した記録媒体等の形態で実現することができる。
【発明を実施するための最良の形態】
【００１６】
次に、本発明の実施の形態を実施例に基づいて以下の順序で説明する。
Ａ．実施例１〜１３：
Ｂ．変形例：
【００１７】
Ａ．実施例１〜１３：
Ａ１．実施例１：
図１は、本発明の一実施例としてのプロジェクタを設置する設置装置の概略構成を示す説明図である。設置装置１０は、第１の支持部１００と、第２の支持部２００とを備えている。第１の支持部１００は、第１の上面部１０２と、前面部１０４と、第１の中空部１０６と、第１の底面部１０８とを備えている。第１の上面部１０２は、机３０の上に裁置される板状の部材である。前面部１０４は、第１の上面部１０２のうち、机３０の端面側の一端から、机３０の下方へ、約９０度の向きで延びる板状の部材である。第１の底面部１０８は、前面部１０４の下側の一端から、第１の上面部１０２とほぼ並行に配置される板状の部材である。第１の中空部１０６は、第１の支持部１００の内側に形成される空間である。図のように、この第１の中空部１０６に机３０を差し込むことによって、設置装置１０を机３０に設置する。
【００１８】
第２の支持部２００は、連結部２５０と、第２の上面部２０２と、背面部２０４と、第２の中空部２０６と、第２の底面部２０８とを備えている。連結部２５０は、第１の底面部１０８と、第２の上面部２０２とを連結するための部材である。この連結部２５０によって、第１の支持部１００と、第２の支持部２００とが連結される。連結部２５０には、任意の手段を用いることができ、例えば、接着剤、ネジ、ボルトなどを利用可能である。なお、第１の底面部１０８と、連結部２５０と、第２の上面部２０２とを、１つの部材とすることもできる。こうすれば、部材数を減らすことができるため、コストを削減できる点において好ましい。第２の上面部２０２は、第１の底面部１０８とほぼ並行に配置される板状の部材である。背面部２０４は、第２の上面部２０２のうち、机３０の端面側とは逆側の一端から、下方へ向かって約９０度の向きで延びる板状の部材である。第２の底面部２０８は、背面部２０４の下側の一端から、第２の上面部２０２とほぼ並行に配置される板状の部材である。第２の中空部２０６は、第２の支持部２００の内側に形成される空間である。上記のように形成した設置装置１０の断面は、略Ｓ字状である。プロジェクタ２０は、第２の中空部２０６に保持される。また、コンピュータ８０とプロジェクタ２０とを接続する場合は、コンピュータ８０の外部モニタ出力コネクタ８２を、プロジェクタ２０のＩＦ部２１に差し込む。この方法は、従来のプロジェクタ２０を机上に設置していた場合と同様である。また、プロジェクタ２０への電源供給は、電源プラグ２３を電源コンセントに差し込むことで行う。
【００１９】
このように、第１実施例では、机の下方に第２の中空部２０６が形成される。そして、この第２の中空部２０６にプロジェクタを保持するので、机の上面および側面のスペースを有効に活用することができる。この結果、プロジェクタ利用時の利便性を向上することができる。
【００２０】
Ａ２．実施例２：
図２は、第２実施例における設置装置１０ａの概略構成を示す説明図である。図１に示した第１実施例における設置装置１０との違いは、配線接続機構３００を備える点だけであり、他の構成は第１実施例と同じである。配線接続機構３００は、コード束３０２と、ターミナルボックス３０４と、コネクタ３０６と、ＲＧＢ入力インタフェース３１０と、ＵＳＢインタフェース３１２と、電源差込口３２０と、電源ケーブル３２２とを備えている。
【００２１】
ＲＧＢ入力インタフェース３１０は、コンピュータ８０の外部モニタ出力コネクタ８２を接続するための接続口である。同様に、ＵＳＢインタフェース３１２は、コンピュータ８０のＵＳＢコネクタを接続するための接続口である。これらの接続口（ＲＧＢ入力インタフェース３１０、ＵＳＢインタフェース３１２）は、第１の上面部１０２ａの上側面に設けられている。コード束３０２は、ＲＧＢ入力インタフェース３１０およびＵＳＢインタフェース３１２から延びるケーブルを１本にまとめたケーブルである。コード束３０２は、第１の支持部１００の内部を通過し、第２の支持部２００の背面部２０４から、外部に露出している。そして、コード束３０２は、ターミナルボックス３０４を介して再び分離される。ターミナルボックス３０４は、プロジェクタ２０を接続するための接続口を備える。コネクタ３０６は、ターミナルボックス３０４と、プロジェクタ２０のＩＦ部２１とを接続するためのコネクタである。これらコード束３０２と、ターミナルボックス３０４と、コネクタ３０６とによって、接続部の役割を果たす。なお、本実施例において、プロジェクタ２０に画像を供給する装置はコンピュータ８０であるものとしたが、この画像供給装置は任意の電子機器を採用することができる。また、ＵＳＢインタフェース３１２には、直接外部記憶媒体を接続するものとしてもよい。電源差込口３２０は、プロジェクタ２０の電源プラグ２３を挿入するための差込口である。電源差込口３２０からの電源供給を可能にするためには、背面部２０４から延びる電源ケーブル３２２を電源コンセントに差し込む。これにより、プロジェクタ２０の電源プラグ２３を直接電源コンセントに差し込む場合と比較して、設置が容易となる。
【００２２】
このように、設置装置に接続機構を備える構成とすれば、コンピュータのケーブルをプロジェクタのＩＦ部まで引き込まずに、コンピュータとプロジェクタとを接続することができる。この結果、プロジェクタの接続をスムーズに行うことが可能となり、プロジェクタ利用時の利便性を向上することができる。
【００２３】
Ａ３．実施例３：
図３は、第３実施例における設置装置１０ｂの概略構成を示す説明図である。図３は、設置装置１０ｂの断面を示している。図１に示した第１実施例における設置装置１０との主たる違いは、回動可能な第１の可動部として機能する角度調節機構４００を備える点、および、連結部２５０を備えない点であり、他の構成は第１実施例とほぼ同じである。角度調節機構４００は、第１のシャフト４０２と、カバー４０４と、第１のギヤ４０６と、第２のギヤ４０８と、第２のシャフト４１０と、ウォームギヤ４１２とを備えている。
【００２４】
角度調節機構４００は、第１の支持部１００ｂおよび第２の支持部２００ｂの内部に配置され、これらを連結している。第１のギヤ４０６は、例えば、かさ歯車で構成することができる。その周囲には、カバー４０４が取り付けられ、その一部が第１の上面部１０２ｂの外部に露出している。第１のギヤ４０６には、第１のシャフト４０２の一端に位置するかさ歯車がかみ合っている。第１のシャフト４０２は、その両端にかさ歯車を備えている。第１のシャフト４０２の他端のかさ歯車は、第２のギヤ４０８とかみ合っている。第２のギヤ４０８は、その中央から第２のシャフト４１０が下方へ伸びている。第２のシャフト４１０の下端は、ウォームギヤ４１２のウォームを形成している。このウォームに対応するウォームホイールは、第２の上面部２０２ｂに備えられている。また、ウォームホイールが回転した際の接触を防止するため、第２の上面部２０２ｂは、面取り部２１２を備えている。
【００２５】
図４は、第１の可動部を回動させた状態を示す概略説明図である。まず、利用者は、カバー４０４を介して第１のギヤ４０６を回転させる。その回転は、第１のシャフト４０２と、第２のギヤ４０８と、第２のシャフト４１０とを介して、ウォームギヤ４１２へ伝えられる。これによって、ウォームホイールの中心を軸として、第２の支持部２００ｂをＲＲ方向へ回動させることができる。第２の支持部２００ｂがＲＲ方向へ回動すれば、それに伴って、第２の支持部２００ｂに支持されているプロジェクタ２０の投写画面の表示位置は上下に移動する。なお、本実施例において、角度調節機構４００は、利用者が手動で動作させる構成としたが、モータ等を設けて電動で動作させる構成としてもよい。
【００２６】
このように、設置装置に角度調節機構を備える構成とすれば、机上での簡単な操作で、プロジェクタ投写画面の表示位置を上下に調節することができる。この結果、プロジェクタ利用時の利便性を向上することができる。
【００２７】
Ａ４．実施例４：
図５は、第４実施例における設置装置１０ｃの概略構成を示す説明図である。図１に示した第１実施例における設置装置１０との主たる違いは、第２の可動部として機能する底面可動機構５００を備える点であり、他の構成は第１実施例とほぼ同じである。
【００２８】
図６は、底面可動機構５００の概略構成を示す説明図である。底面可動機構５００は、調節穴５０２と、係止部材５０４と、ヒンジ５０６と、ストッパ５０８とを備えている。図６（Ａ）は、設置装置１０ｃの一部を表した斜視図である。第１の支持部１００から第２の底面部２０８ｃにかけて延びる上側面部（第２の上面部２０２および背面部２０４ｃ）と、第２の底面部２０８ｃとは、ヒンジ５０６を挟んで連結されている。また、背面部２０４ｃと、第２の底面部２０８ｃとは、係止部材５０４によって固定されている。背面部２０４ｃの両側側面には、係止部材５０４の上端を固定するための調節穴５０２を備えている。この調節穴５０２は、一定の間隔を設けて複数個備えることが好ましい。第２の底面部２０８ｃの両側側面には、係止部材５０４の下端を固定するための係止穴２１４を備えている。図６（Ｂ）は、設置装置１０ｃの部分断面図である。係止部材５０４の上端と下端には、それぞれ係止端５１２が備えられている。第２の底面部２０８ｃを可動させるためには、この係止端５１２を外側方向ＯＤに引っ張り、調節穴５０２から係止端５１２を引き抜く。その後、第２の底面部２０８ｃを所望の位置まで回動させ、再度、係止端５１２を調節穴５０２に挿入する。
【００２９】
図７は、底面可動機構５００を用いた場合を示す説明図である。図のように、係止端５１２を挿入する調節穴５０２の位置を変えることによって、第２の底面部２０８ｃが固定される角度を調節することができる。このとき、プロジェクタ２０が落下するのを抑制するために、ストッパ５０８が設けられている。なお、本実施例において、底面可動機構５００は、利用者が手動で調節する構成としたが、モータ等を設けて電動で調節する構成としてもよい。
【００３０】
このように、設置装置に底面可動機構を備える構成とすれば、簡単な操作で、利用者が作業しやすい位置へプロジェクタの上面部や側面部を向けることができる。従って、利用者は、プロジェクタを設置装置に設置したまま作業をする（例えば、プロジェクタの部品を交換する）ことができる。この結果、プロジェクタ利用時の利便性を向上することができる。
【００３１】
Ａ５．実施例５：
図８は、第５実施例における設置装置１０ｄの概略構成を示す説明図である。図８は、設置装置１０ｄの断面を示している。図１に示した第１実施例における設置装置１０との主たる違いは、切替部として機能する挟み込み機構６００を備える点であり、他の構成は第１実施例とほぼ同じである。挟み込み機構６００は、保持部材６０２と、ギア６０４と、レバー６０６と、滑り止め部材６０８とを備えている。
【００３２】
挟み込み機構６００のうち、保持部材６０２は下方が長い略コの字状の部材である。保持部材６０２の上端側には、ギア６０４が備えられている。ギア６０４は、支点ＰＰにおいて、第１の上面部１０２ｄに固定されている。また、ギア６０４がレバー６０６と接する部分は、歯車状に形成されている。同様に、レバー６０６の下端であって、ギア６０４と接する部分についても、歯車状に形成されている。さらに、レバー６０６は、下方中央部において第１の上面部１０２ｄと固定されている。
【００３３】
図９は、設置装置１０ｄを固定状態へと切り替えた場合の概略構成を示す説明図である。利用者は、レバー６０６を下方向ＤＤに押下する。レバー６０６に加えられた力は、ギア６０４を介して保持部材６０２へと伝えられる。保持部材６０２は、支点ＰＰを支点としたてこの原理により、その下側が上方向ＵＤへと押し上げられる。この結果、滑り止め部材６０８が圧迫されることで、設置装置１０ｄは机３０に固定された固定状態となる。また、レバー６０６を上に押し上げることによって、設置装置１０ｄの固定状態を簡単に解除状態とすることができる。このようにして、固定状態と解除状態とをワンタッチで切り替えることが可能である。
【００３４】
このように、設置装置に挟み込み機構を備える構成とすれば、机上での簡単な操作で、設置装置の取り付けおよび固定が可能となる。この結果、プロジェクタ利用時の利便性を向上することができる。
【００３５】
Ａ６．実施例６：
図１０は、第６実施例における設置装置１０ｅの概略構成を示す説明図である。図１に示した第１実施例における設置装置１０との違いは、スライド機構７００を備える点、および、連結部２５０を備えない点であり、他の構成は第１実施例と同じである。スライド機構７００は、メインレール７０２と、ストッパレール７０４と、メインガイド７１２と、ストッパガイド７１４とを備えている。
【００３６】
このメインレール７０２とストッパレール７０４とは、第１の底面部１０８ｅの下部に形成されている。一方、メインガイド７１２とストッパガイド７１４とは、第２の上面部２０２ｅの上部に形成されている。メインレール７０２は、断面形状が略Ｌ字状の凸部からなり、メインガイド７１２は、メインレール７０２の形に沿うような断面形状の凹部を有する。このメインレール７０２と、メインガイド７１２とによって、第２の支持部２００ｅを第１の支持部１００ｅの下方に支持しつつ、スライドさせることができる。ストッパレール７０４は、断面形状が長方形状の凸部からなり、ストッパガイド７１４は、ストッパレール７０４の形に沿うような断面形状の凹部を有する。このストッパレール７０４、ストッパガイド７１４によって、第２の支持部２００ｅがスライドする範囲を制限することができる。詳細については後述する。
【００３７】
図１１は、スライド機構７００によって、第２の支持部２００ｅがスライドする様子を示す説明図である。ストッパガイド７１４のうちの一方は、右側方向に壁部７１０を有している。このため、第２の支持部２００ｅの左方向ＬＤへのスライドは、ストッパレール７０４が壁部７１０に接触するまで続けることができる。ストッパレール７０４が壁部７１０に接触した後は、壁部７１０が移動の妨げとなるため、これ以上、第２の支持部２００ｅを左方向ＬＤへスライドさせることはできない。
【００３８】
図１２は、第２の上面部２０２ｅの上面の概略構成を示す説明図である。図のように、ストッパガイド７１４は、交互に壁部７１０を備えている。また、一方の壁部７１０は、端まである凹部の一端に、取り外し可能なストッパ部材７１５を埋め込むことによって実現されている。この２箇所の壁部７１０によって、第２の支持部２００ｅを左右どちらの方向にスライドさせた場合であっても、一定量以上のスライドを抑制することが可能となる。なお、第１の支持部１００ｅに第２の支持部２００ｅを取り付ける場合は、ストッパ部材７１５を取り外し、ストッパ部材７１５が取り付けられていた側ＩＧ方向から、第１の支持部１００ｅのメインレール７０２およびストッパレール７０４を挿入する。
【００３９】
このように、設置装置にスライド機構を備える構成とすれば、簡単な操作で、プロジェクタ投写画面の投写位置を左右に調節することができる。この結果、プロジェクタ利用時の利便性を向上することができる。
【００４０】
Ａ７．実施例７：
図１３は、第７実施例における設置装置１０ｆの概略構成を示す説明図である。図１０に示した第６実施例における設置装置１０ｅとの主たる違いは、スライド機構７００が設けられる位置が異なる点および机上部材７２０を備える点であり、他の構成は第６実施例と同じである。本実施例においては、メインレール７０２およびストッパレール７０４は、第１の上面部１０２ｆの下部に形成されている。また、メインガイド７１２とストッパガイド７１４とは、机３０の上部に置かれる机上部材７２０の上部に形成されている。
【００４１】
このような構成としても、第６実施例と同様に、プロジェクタ利用時の利便性を向上することができる。さらに、第７実施例の場合は、設置対象物の上部に置かれる部材によって第２の支持部を支持するため、第６実施例の場合と比較して、重量のあるプロジェクタを保持することができる。
【００４２】
Ａ８．実施例８：
図１４は、第８実施例における設置装置１０ｇの概略構成を示す説明図である。図１０に示した第６実施例における設置装置１０ｅとの主たる違いは、スライド機構７００が設けられる位置と角度が異なる点、および、プロジェクタ支持部材７３０を備える点であり、他の構成は第６実施例と同じである。プロジェクタ支持部材７３０は、プロジェクタ２０を裁置するための板状の部材である。本実施例においては、メインレール７０２およびストッパレール７０４は、９０度向きを回転させた状態で、プロジェクタ支持部材７３０の下部に形成されている。また、メインガイド７１２とストッパガイド７１４とは、９０度向きを回転させた状態で、第２の底面部２０８ｇの上部に形成されている。このように構成することで、プロジェクタ２０を載せたプロジェクタ支持部材７３０を、前後方向ＦＢへスライドすることが可能となる。この結果、前面にあるスクリーン５０と、プロジェクタ２０との間の距離ＳＤを調節することができる。
【００４３】
このような構成としても、第６実施例と同様に、プロジェクタ利用時の利便性を向上することができる。さらに第８実施例の場合は、簡単な操作で、プロジェクタとスクリーンとの距離を調節することができる。
【００４４】
Ａ９．実施例９：
図１５は、第９実施例における設置装置１０ｈの概略構成を示す説明図である。図１５は、設置装置１０ｈの断面を示している。図１に示した第１実施例における設置装置１０との主たる違いは、回転機構８００を備える点であり、他の構成は第１実施例とほぼ同じである。回転機構８００は、回転支持部８１０と、回転部８２０と、弾性体８３０と、固定部材８４０とを備えている。
【００４５】
回転支持部８１０は、回転部８２０を支持するための部材であり、第１の底面部１０８の下方に配置される。回転支持部８１０は、支持アーム８１２と、固定穴８１４とを備えている。支持アーム８１２は、回転部８２０の回転バー８２２と嵌合することで、回転部８２０を支持する。固定穴８１４は、固定部材８４０を挿入するための穴である。回転部８２０は、回転支持部８１０に支持された状態で、回転を可能とするための部材であり、第２の上面部２０２の上方に配置される。回転部８２０は、回転バー８２２と、固定穴８２４とを備えている。回転バー８２２は、その凸部の断面が略Ｔ字状を有する部材である。固定穴８２４は、固定部材８４０を挿入するための穴である。弾性体８３０は、一端が回転支持部８１０に固定されており、他端が回転部８２０に固定されている。固定部材８４０は、第２の上面部２０２に設けられる固定穴２１８と、回転部８２０の固定穴８２４と、回転支持部８１０の固定穴８１４とを貫通することで、回転部８２０と回転支持部８１０とを特定の位置で固定するための部材である。固定部材８４０は、例えばネジ状の部材とすることができる。
【００４６】
図１６は、回転機構８００の概略構成を示す説明図である。図１６（Ａ）は、回転機構８００を示す図である。図１６（Ｂ）は、図１６（Ａ）の断面Ｂを示す図である。弾性体８３０は、一端が回転支持部８１０に、他端が回転部８２０に固定されている。従って、回転部８２０が回転方向ＲＤに回転した場合は、弾性体８３０によって、回転部８２０を回転方向ＲＤとは逆方向へ戻す力が働く。このため、回転部８２０を任意の位置で固定するために固定部材８４０を用いている。図１６（Ｃ）は、回転部８２０を上部から見た場合の図である。回転部８２０は固定穴８２４を１つ備えている。一方、回転支持部８１０は、固定穴８１４を一定の間隔で複数備えている。これにより、回転部８２０の固定穴８２４と、回転支持部８１０の固定穴８１４とが重なり合う任意の場所で、回転部８２０を固定することが可能となる。なお、弾性体８３０は省略することもできる。
【００４７】
図１７は、回転機構８００により第２の支持部２００が回転する様子を示す説明図である。回転機構８００を用いることによって、利用者が第２の支持部２００を手動で左右に回転させることが可能となる。このとき、第１の支持部１００は机３０に固定されたままである。なお、本実施例において、回転機構８００は、利用者が手動で動作させる構成としたが、モータ等を設けて電動で動作させる構成としてもよい。
【００４８】
このように、設置装置に回転機構を備える構成とすれば、簡単な操作で、プロジェクタの投写方向を左右に調節することができる。この結果、プロジェクタ利用時の利便性を向上することができる。
【００４９】
Ａ１０．実施例１０：
図１８は、第１０実施例における設置装置１０ｊの概略構成を示す説明図である。図１に示した第１実施例における設置装置１０との違いは、収納機構９００を備える点だけであり、他の構成は第１実施例と同じである。収納機構９００は、カバー９０２と、収納部９０４とを備えている。収納部９０４は、小物類（例えば、プロジェクタ２０のリモコン）を収納するためのスペースであり、第１の上面部１０２ｊの上面に配置されている。カバー９０２は、収納部９０４の蓋である。なお、カバー９０２は省略することもできる。また、収納部９０４の位置および形状は一例であり、任意の位置に、任意の形状として配置することが可能である。
【００５０】
このように、設置装置に収納機構を備える構成とすれば、プロジェクタの細かな周辺機器や筆記具等をすっきりと整頓することができ、周辺機器等の紛失を抑制することができる。この結果、プロジェクタ利用時の利便性を向上することができる。
【００５１】
Ａ１１．実施例１１：
図１９は、第１１実施例における設置装置１０ｋの概略構成を示す説明図である。図１に示した第１実施例における設置装置１０との主たる違いは、固定機構９１０を備える点であり、他の構成は第１実施例とほぼ同じである。固定機構９１０は、固定部材９１２を備えている。また、第２の底面部２０８ｋには、固定穴２１６を備えている。この固定穴２１６と、プロジェクタ２０の天吊穴２２とを通して、下方向ＦＤから固定部材９１２を嵌合させる。これにより、プロジェクタ２０を設置装置１０ｋの第２の底面部２０８ｋに固定することができる。なお、種々のプロジェクタに対応可能とするために、第２の底面部２０８ｋの固定穴２１６はネジ穴位置の調整が可能な構成とすることが好ましい。
【００５２】
このように、設置装置に固定機構を備える構成とすれば、既存の天吊穴を利用して、プロジェクタを設置装置に固定することができる。この結果、プロジェクタ利用時の利便性を向上することができる。
【００５３】
Ａ１２．実施例１２：
図２０は、第１２実施例における設置装置１０ｍおよび設置装置１０ｓの概略構成を示す説明図である。図１に示した第１実施例における設置装置１０との主たる違いは、設置装置１０ｍに複数台の設置装置（設置装置１０ｓ）を接続可能な点であり、他の構成は第１実施例とほぼ同じである。設置装置１０ｍと２台の設置装置１０ｓは直列に接続されている。３台の設置装置は、設置装置１０ｍがマスタ、設置装置１０ｓがスレーブとなる。マスタである設置装置１０ｍには、ＲＧＢ入力インタフェース９２０と、ＵＳＢインタフェース９２２とが備えられている。設置装置１０ｍのＵＳＢインタフェース９２２には、コンピュータ８０のＵＳＢコネクタ８１が接続されている。
【００５４】
図２１は、第１２実施例における設置装置１０ｍおよび設置装置１０ｓの概略構成を示すブロック図である。設置装置１０ｍは、分配部９５１と、インタフェース９５２と、中継部９５３とを備えている。インタフェース９５２は、設置装置１０ｍが外部機器（例えば、コンピュータ８０）に接続し、データを取得する際のインタフェースである。分配部９５１は、インタフェース９５２から受け取ったデータを、各設置装置へ分配する。中継部９５３は、分配部９５１から受け取ったデータを、当該設置装置に接続されているプロジェクタ（すなわち、第１のプロジェクタ２０）へ中継する。設置装置１０ｓは、インタフェース９５４と、中継部９５５とを備えている。設置装置１０ｓのインタフェース９５４は、設置装置１０ｓがマスタである設置装置１０ｍに接続し、データを取得する際のインタフェースである。中継部９５５は、インタフェース９５４から受け取ったデータを、当該設置装置に接続されているプロジェクタへ中継する。なお、本実施例では、マスタとなる設置装置１０ｍ、スレーブとなる設置装置１０ｓとの構成を異なるものとしたが、同じ構成の設置装置を複数台用いることもできる。その場合は、コンピュータ８０が接続される任意の１台がマスタとなり、他の設置装置がスレーブとなる。
【００５５】
図２２は、コンピュータ８０で実行されるアプリケーションの画面の例を示す説明図である。このアプリケーション９８０は、第１〜第３のプロジェクタ２０が投写する画像をそれぞれ指定するためのアプリケーションである。アプリケーション９８０は、３つのウィンドウＰＷ１〜ＰＷ３が表示されている。ウィンドウＰＷ１が第１のプロジェクタに対応している。同様に、ウィンドウＰＷ２が第２のプロジェクタに、ウィンドウＰＷ３が第３のプロジェクタに対応している。ウィンドウＰＷ１を例にして説明する。ウィンドウＰＷ１には、第１のプロジェクタに投写させる画像を表示するためのウィンドウＰＰ１と、表示設定部９３０とが含まれている。表示設定部９３０には、スキップボタン９３２と、ページ表示部９３４と、再生ファイル選択部９３６と、再生停止部９３８とが含まれている。利用者は、再生ファイル選択部９３６によって、投写したいファイルを選択する。その後、再生停止部９３８およびスキップボタン９３２を操作することによって、当該ファイル中のページを遷移させることができる。ページ表示部９３４は、現在表示されている画像が、ファイルのどの位置に該当するかの情報を示している。なお、アプリケーション９８０のウィンドウ数は、「スレーブとなる設置装置１０ｓの個数＋１」である。
【００５６】
このように、利用者は、コンピュータ８０上のアプリケーション９８０によって、各プロジェクタに表示させる画像を指定する。アプリケーション９８０は、それぞれの画像（ＰＰ１〜ＰＰ３）に、表示すべきプロジェクタのＩＤを付加した上で、マスタの設置装置１０ｍへデータを送る。設置装置１０ｍの分配部９５１は、このＩＤを元にして、各設置装置へデータを振り分けることができる。なお、アプリケーション９８０は、複数の設置装置に異なる画像を表示させるための手段の一例であり、他の手段を用いることも可能である。また、複数のプロジェクタ２０に同じ画像を投影させる構成としてもよい。
【００５７】
このように、複数台の設置装置を連結して制御可能な構成とすれば、マスタの設置装置への入力のみで全てのプロジェクタに画像を投写させることができ、用途に応じた柔軟なプロジェクタの使い方が可能となる。この結果、プロジェクタ利用時の利便性を向上することができる。
【００５８】
Ａ１３．実施例１３：
図２３は、第１３実施例における設置装置１０ｐの概略構成を示す説明図である。図１に示した第１実施例における設置装置１０との主たる違いは、プロジェクタ支援装置１０００を備える点であり、他の構成は第１実施例とほぼ同じである。プロジェクタ支援装置１０００は、ＵＳＢコネクタ６０によって、設置装置１０ｐのＵＳＢインタフェース６２に接続されている。なお、プロジェクタ支援装置１０００と、プロジェクタ２０のＩＦ部２１とを直接接続する構成とすることもできる。
【００５９】
図２４は、プロジェクタ支援装置１０００の概略構成を示す説明図である。プロジェクタ支援装置１０００は、スピーカ１０１０と、ディスプレイ１０２０と、カメラ１０３０と、汎用ケース１０４０と、デジタルペン１０５０と、マイク１０６０と、ブルーレイディスクドライブ１０７０と、リモコン受光部１０８０と、操作パネル１０９０と、接続ボックス１１００とを備えている。
【００６０】
スピーカ１０１０は、例えば、プロジェクタ２０で映像を投写する場合に、その音声を再生することが可能なスピーカである。ディスプレイ１０２０は、プロジェクタ２０に投写される画面を表示可能なほか、カメラ１０３０に映る映像を表示することもできるディスプレイである。カメラ１０３０は、プロジェクタ支援装置１０００に収納可能な折りたたみ式のカメラである。このカメラ１０３０は、その前面・後面の両方にレンズを有し、前後それぞれの画像を撮影可能なカメラとすることが好ましい。汎用ケース１０４０は、種々の小物を収納可能なスペースである。デジタルペン１０５０は、ペン型の電子文具で、その筆跡をベクトルデータとして保存することができる。マイク１０６０は取り外し可能なコンパクト型マイクであり、例えば、プレゼンテーションを行う者の音声を拡張するほか、会議での会話を録音することもできる。ブルーレイディスクドライブ１０７０は、ブルーレイディスクに対応し、読み取りおよび書き込みが可能なディスクドライブである。リモコン受光部１０８０は、プロジェクタ２０のリモコンの赤外線を受光する役割を果たす。操作パネル１０９０は、プロジェクタ２０に対して、リモコンと同等の操作が可能な操作パネルである。接続ボックス１１００は、プロジェクタ２０と、各種の外部入力装置を接続可能なインタフェース群である。
【００６１】
図２５は、プロジェクタ支援装置１０００の機能を示すブロック図である。プロジェクタ支援装置１０００は、主制御部１２００と、インタフェース１３００と、周辺機器１０１０〜１１００（以降、「周辺機器類」とも呼ぶ。）とを備えている。インタフェース１３００は、主制御部１２００と、外部に接続されるコンピュータ８０およびプロジェクタ２０と、周辺機器類とを接続するためのインタフェースである。主制御部１２００は、ＣＰＵ１２１０と、メモリ１２２０とを備えている。ＣＰＵ１２１０は、通信部１２１１と、プロジェクタ制御部１２１２と、テレビ会議システム１２１４と、会議録画システム１２１５とを備えている。これらの詳細については後述する。
【００６２】
図２６は、設置装置１０ｐを用いた会議の様子を示す説明図である。図２６（Ａ）は、場所Ａでの会議の様子を示している。図２６（Ｂ）は、（Ａ）と同時刻の、場所Ｂでの会議の様子を示している。図２６（Ｃ）は、場所Ａに設置されているプロジェクタ２０の投写画面ＳＡを示している。この投写画面ＳＡには、第１のコンテンツ（折れ線グラフ）を表示する画面ＷＡ１と、第２のコンテンツ（円グラフ）を表示する画面ＷＡ２と、場所Ｂの様子を表示する画面ＷＡ３とが表示されている。一方、図２６（Ｄ）は、場所Ｂに設置されているプロジェクタ２０の投写画面ＳＢを示している。この投写画面ＳＢには、画面ＷＡ１と同様のコンテンツを表示する画面ＷＢ１と、画面ＷＡ２と同様のコンテンツを表示する画面ＷＢ２と、場所Ａの様子を表示する画面ＷＢ３が表示されている。
【００６３】
テレビ会議システム１２１４は、通信部１２１１およびプロジェクタ制御部１２１２と協働することによって、例えば、次のような制御を行う。通信部１２１１は、場所Ｂに設置されるプロジェクタ支援装置１０００のカメラ１０３０およびマイク１０６０からのデータを受信する。通信部１２１１からデータを受信したテレビ会議システム１２１４は、映像と音声とを合成したデータをプロジェクタ制御部１２１２へ受け渡す。合成データを受け取ったプロジェクタ制御部１２１２は、あらかじめ定められたウィンドウＷＡ３に合成データを投写する。また、プロジェクタ制御部１２１２は、ウィンドウＷＡ１、２にもそれぞれ指定された画像を表示する。このＷＡ１、２に表示される画像を、通信部１２１１を介して場所Ｂにあるプロジェクタ支援装置１０００へ送信することで、場所Ｂでも同じ画像を共有することが可能となる。同様に、デジタルペン１０５０の筆跡を、投写画面上のポインタとして共有して表示することもできる。会議録画システム１２１５は、投写画面ＳＡおよびその時の音声データを、ブルーレイディスクドライブ１０７０を用いて録画することができる。
【００６４】
このように、設置装置にプロジェクタ支援装置を備える構成とすれば、プロジェクタと、プロジェクタ支援装置の周辺機器とを一体として、より幅広い用途に利用することができる。この結果、プロジェクタ利用時の利便性を向上することができる。
【００６５】
図２７は、第１３実施例で利用可能な種々のプロジェクタ支援装置の機能を示すブロック図である。設置装置１０ｐは、設置されるプロジェクタ２０の使用用途に応じて、複数の種類から任意に選択したプロジェクタ支援装置を接続することができる。第１のプロジェクタ支援装置１０００は、図２４で説明したプロジェクタ支援装置１０００と同じである。第２のプロジェクタ支援装置１０００ｂは、ブルーレイディスクドライブ１０７０を備えないため、会議録画システム１２１５を含まない構成となっている。第３のプロジェクタ支援装置１０００ｃは、通信部１２１１およびブルーレイディスクドライブ１０７０を備えないため、テレビ会議システム１２１４および会議録画システム１２１５を含まない構成となっている。一方、プロジェクタ支援装置１０００ｃの公演サポートシステム１２１６は、例えば、マイク１０６０に入力される利用者の音声を拡張し、スピーカ１０１０から流すことができる。
【００６６】
このように、設置装置に設置されるプロジェクタの使用用途に応じて、複数の種類から任意に選択したプロジェクタ支援装置を設置可能な構成とすれば、プロジェクタの使用用途や予算に応じて、様々なプロジェクタ支援装置を使い分けることができる。この結果、プロジェクタ利用時の利便性を向上することができる。
【００６７】
Ｂ．変形例：
なお、この発明は上記の実施例や実施形態に限られるものではなく、その要旨を逸脱しない範囲において種々の態様において実施することが可能であり、例えば次のような変形も可能である。
【００６８】
Ｂ１．変形例１：
上記実施例では、異なる機能を有する多種の設置装置を列挙した。しかし、１つの設置装置に、これら全ての機能を備えるものとしてもよい。また、１つ以上の機能を任意に組み合わせた設置装置を構成することもできる。
【００６９】
Ｂ２．変形例２：
上記実施例では、設置対象となる対象物として机を例示したが、この設置装置は、任意の対象物に対して設置することが可能である。例えば、棚に設置するものとしてもよい。
【００７０】
Ｂ３．変形例３：
上記実施例では、プロジェクタ支援装置が備える周辺機器を例示したが、この他にもプロジェクタ支援装置は種々の周辺機器を備えることができる。例えば、次のような周辺機器を備えるものとしてもよい。
・プロジェクタやコンピュータ等の外部デバイスを接続するためのケーブル
・プロジェクタやプロジェクタ支援装置上にある周辺機器のステータスを表示するためのインジケータ
・無線通信を実現するデバイス（例えば、ブルートゥース、ワイヤレスＵＳＢ、無線ＬＡＮ）
・投写対象のファイルや会議データ、議事録等を保存するためのハードディスク
・インタラクティブ機能のセンサ
・外部記憶媒体用ドライブ（例えば、ＣＤ、ＤＶＤ、ＭＯ）
・デジタルカメラ
・プリンタ
・スキャナ
・テレビアンテナ、チューナ
・会議室毎に設置されるファイルサーバ
【図面の簡単な説明】
【００７１】
【図１】本発明の一実施例としてのプロジェクタを設置する設置装置の概略構成を示す説明図である。
【図２】第２実施例における設置装置１０ａの概略構成を示す説明図である。
【図３】第３実施例における設置装置１０ｂの概略構成を示す説明図である。
【図４】第１の可動部を回動させた状態を示す概略説明図である。
【図５】第４実施例における設置装置１０ｃの概略構成を示す説明図である。
【図６】底面可動機構５００の概略構成を示す説明図である。
【図７】底面可動機構５００を用いた場合を示す説明図である。
【図８】第５実施例における設置装置１０ｄの概略構成を示す説明図である。
【図９】設置装置１０ｄを固定状態へと切り替えた場合の概略構成を示す説明図である。
【図１０】第６実施例における設置装置１０ｅの概略構成を示す説明図である。
【図１１】スライド機構７００によって第２の支持部２００ｅがスライドする様子を示す説明図である。
【図１２】第２の上面部２０２ｅの上面の概略構成を示す説明図である。
【図１３】第７実施例における設置装置１０ｆの概略構成を示す説明図である。
【図１４】第８実施例における設置装置１０ｇの概略構成を示す説明図である。
【図１５】第９実施例における設置装置１０ｈの概略構成を示す説明図である。
【図１６】回転機構８００の概略構成を示す説明図である。
【図１７】回転機構８００により第２の支持部２００が回転する様子を示す説明図である。
【図１８】第１０実施例における設置装置１０ｊの概略構成を示す説明図である。
【図１９】第１１実施例における設置装置１０ｋの概略構成を示す説明図である。
【図２０】第１２実施例における設置装置１０ｍおよび設置装置１０ｓの概略構成を示す説明図である。
【図２１】第１２実施例における設置装置１０ｍおよび設置装置１０ｓの概略構成を示すブロック図である。
【図２２】コンピュータ８０で実行されるアプリケーションの画面の例を示す説明図である。
【図２３】第１３実施例における設置装置１０ｐの概略構成を示す説明図である。
【図２４】プロジェクタ支援装置１０００の概略構成を示す説明図である。
【図２５】プロジェクタ支援装置１０００の機能を示すブロック図である。
【図２６】設置装置１０ｐを用いた会議の様子を示す説明図である。
【図２７】第１３実施例で利用可能な種々のプロジェクタ支援装置の機能を示すブロック図である。
【符号の説明】
【００７２】
１０…設置装置、２０…プロジェクタ、２２…天吊穴、２３…電源プラグ、３０…机、５０…スクリーン、８０…コンピュータ、８２…外部モニタ出力コネクタ、１００…第１の支持部、１０２…第１の上面部、１０４…前面部、１０６…第１の中空部、１０８…第１の底面部、２００…第２の支持部、２０２…第２の上面部、２０４…背面部、２０６…第２の中空部、２０８…第２の底面部、２１２…部、２１４…係止穴、２１６…固定穴、２１８…固定穴、２５０…連結部、３００…配線接続機構、３０２…コード束、３０４…ターミナルボックス、３０６…コネクタ、３２０…電源差込口、３２２…電源ケーブル、４００…角度調節機構、４０２…第１のシャフト、４０４…カバー、４０６…第１のギヤ、４０８…第２のギヤ、４１０…第２のシャフト、４１２…ウォームギヤ、５００…底面可動機構、５０２…調節穴、５０４…係止部材、５０６…ヒンジ、５０８…ストッパ、５１２…係止端、６００…機構、６０２…保持部材、６０４…ギア、６０６…レバー、６０８…部材、７００…スライド機構、７０２…メインレール、７０４…ストッパレール、７１０…壁部、７１２…メインガイド、７１４…ストッパガイド、７１５…ストッパ部材、７２０…机上部材、７３０…プロジェクタ支持部材、８００…回転機構、８１０…回転支持部、８１２…支持アーム、８１４…固定穴、８２０…回転部、８２２…回転バー、８２４…固定穴、８３０…弾性体、８４０…固定部材、９００…収納機構、９０２…カバー、９０４…収納部、９１０…固定機構、９１２…固定部材、９３０…表示設定部、９３２…スキップボタン、９３４…ページ表示部、９３６…再生ファイル選択部、９３８…再生停止部、９５１…分配部、９５２…インタフェース、９５３…中継部、９５４…インタフェース、９５５…中継部、９８０…アプリケーション、１０００…プロジェクタ支援装置、１０１０…スピーカ、１０２０…ディスプレイ、１０３０…カメラ、１０４０…汎用ケース、１０５０…デジタルペン、１０６０…マイク、１０７０…ブルーレイディスクドライブ、１０８０…リモコン受光部、１０９０…操作パネル、１１００…接続ボックス、１２００…主制御部、１２１０…ＣＰＵ、１２１１…通信部、１２１２…プロジェクタ制御部、１２１４…テレビ会議システム、１２１５…会議録画システム、１２１６…公演サポートシステム、１２２０…メモリ、１３００…インタフェース
【図１】
2010060600.tif 000003
【図２】
2010060600.tif 000004
【図３】
2010060600.tif 000005
【図４】
2010060600.tif 000006
【図５】
2010060600.tif 000007
【図６】
2010060600.tif 000008
【図７】
2010060600.tif 000009
【図８】
2010060600.tif 000010
【図９】
2010060600.tif 000011
【図１０】
2010060600.tif 000012
【図１１】
2010060600.tif 000013
【図１２】
2010060600.tif 000014
【図１３】
2010060600.tif 000015
【図１４】
2010060600.tif 000016
【図１５】
2010060600.tif 000017
【図１６】
2010060600.tif 000018
【図１７】
2010060600.tif 000019
【図１８】
2010060600.tif 000020
【図１９】
2010060600.tif 000021
【図２０】
2010060600.tif 000022
【図２１】
2010060600.tif 000023
【図２２】
2010060600.tif 000024
【図２３】
2010060600.tif 000025
【図２４】
2010060600.tif 000026
【図２５】
2010060600.tif 000027
【図２６】
2010060600.tif 000028
【図２７】
2010060600.tif 000029